(57)【要約】【課題】個別の設定項目及び共通の設定項目を簡便な操作により確認することが可能な画像表示装置を提供する。【解決手段】画像データに基づく画像６０を表示する画像表示装置において、画像がスクロールしている場合に、複数の画像データに共通して設定されている共通設定を共通設定表示部９０に表示し、スクロールが停止した場合に、複数の画像データの各々に個別に設定されている個別設定を、その各々に対応する個別設定表示部８６に表示するように構成する。つまり、スクロール停止時には、個別設定が設定された全ての画像に個別設定が表示され、スクロール中には、共通設定が表示される。これにより、個別の設定項目及び共通の設定項目をスクロール操作により容易に確認することが可能となる。【選択図】図２
2014056474.tif 000002
【特許請求の範囲】
【請求項１】
複数の画像データを記憶するための記憶手段と、
前記記憶手段に記憶されている前記画像データに基づく画像を表示するための表示手段と、
前記表示手段に表示された画像をスクロールさせるためのスクロール手段と、
前記表示手段への画像の表示を制御する制御装置と、
を備え、
前記制御装置は、
前記表示手段に画像を表示する画像表示制御部と、
前記スクロール手段により、前記表示手段に表示された画像がスクロールしている場合に、前記複数の画像データに共通して設定されている共通設定を前記表示手段に表示するスクロール時共通設定表示制御部と、
前記スクロール手段による画像のスクロールが停止した場合に、前記複数の画像データの各々に個別に設定されている個別設定を、その各々に対応して前記表示手段に表示する個別設定表示制御部と、
を有することを特徴とする画像表示装置。
【請求項２】
前記スクロール時共通設定表示制御部が、
前記共通設定の前記表示手段への表示を、スクロールが停止した後に取りやめることを特徴とする請求項１に記載の画像表示装置。
【請求項３】
前記スクロール時共通設定表示制御部が、
前記共通設定の前記表示手段への表示を、スクロールが停止して所定時間経過後に取りやめることを特徴とする請求項１又は請求項２に記載の画像表示装置。
【請求項４】
前記共通設定と前記個別設定との各々が、複数の設定項目から構成されており、
前記個別設定表示制御部が、
前記個別設定の前記設定項目に設定された設定値のうちの前記共通設定の前記設定項目に設定された設定値と異なる前記設定値のみを、前記表示手段に表示することを特徴とする請求項１乃至請求項３のいずれか１つに記載の画像表示装置。
【請求項５】
前記制御装置が、
前記共通設定が表示されている前記表示手段の領域に対する操作が入力された場合に、前記共通設定を設定するための設定画面を前記表示手段に表示する共通設定画面表示制御部を有することを特徴とする請求項１乃至請求項４のいずれか１つに記載の画像表示装置。
【請求項６】
前記スクロール時共通設定表示制御部が、
前記表示手段に表示された画像が所定の方向にスクロールしている場合に、前記共通設定を前記表示手段に表示し、前記表示手段に表示された画像が前記所定の方向の反対方向にスクロールしている場合に、前記共通設定を前記表示手段に表示しないことを特徴とする請求項１乃至請求項５のいずれか１つに記載の画像表示装置。
【請求項７】
前記制御装置が、
前記表示手段に表示された画像を特定するための情報を記憶する記憶部を有し、
前記スクロール時共通設定表示制御部が、
前記記憶部に記憶された前記情報に基づいて特定される画像が、スクロール操作により前記表示手段に表示される場合のスクロール中に、前記共通設定を前記表示手段に表示し、前記記憶部に記憶された前記情報に基づいて特定されない画像が、スクロール操作により前記表示手段に表示される場合のスクロール中に、前記共通設定を前記表示手段に表示しないことを特徴とする請求項１乃至請求項５のいずれか１つに記載の画像表示装置。
【請求項８】
前記共通設定と前記個別設定との各々が、複数の設定項目から構成されており、
前記個別設定表示制御部が、
前記共通設定の前記設定項目に設定された設定値が変更された場合に、前記個別設定の前記設定項目に設定された設定値のうちの変更された前記共通設定の前記設定値と異なる前記設定値のみを、前記表示手段に表示することを特徴とする請求項１乃至請求項７のいずれか１つに記載の画像表示装置。
【請求項９】
前記共通設定と前記個別設定との各々が、複数の設定項目から構成されており、
前記個別設定表示制御部が、
前記個別設定の前記設定項目に設定された設定値のうちの前記共通設定の前記設定項目に設定された設定値の変更により新たに前記表示手段に表示される設定値を、前記共通設定の前記設定項目に設定された設定値の変更前の前記個別設定の前記設定項目に設定された設定値の表示態様とは異なる態様で、前記表示手段に表示することを特徴とする請求項８に記載の画像表示装置。
【請求項１０】
前記制御装置が、
前記表示手段に表示された画像がスクロールしていなくても、前記スクロール手段が操作されている場合に、前記共通設定を前記表示手段に表示する操作時共通設定表示制御部を有することを特徴とする請求項１乃至請求項９のいずれか１つに記載の画像表示装置。
【請求項１１】
複数の画像データを記憶するための記憶手段と、
前記記憶手段に記憶されている前記画像データに基づく画像を表示するための表示手段と、
前記表示手段に表示された画像をスクロールさせるためのスクロール手段と、
を備えた画像表示装置のコンピュータが読み取り可能な制御プログラムであって、
前記表示手段に画像を表示する画像表示制御手段と、
前記スクロール手段により、前記表示手段に表示された画像がスクロールしている場合に、前記複数の画像データに共通して設定されている共通設定を前記表示手段に表示するスクロール時共通設定表示制御手段と、
前記スクロール手段による画像のスクロールが停止した場合に、前記複数の画像データの各々に個別に設定されている個別設定を、その各々に対応して前記表示手段に表示する個別設定表示制御手段と、
して前記コンピュータを機能させることを特徴とする制御プログラム。
【発明の詳細な説明】
【技術分野】
【０００１】
本発明は、画像データに基づく画像を表示する画像表示装置及び、画像表示装置の作動を制御する制御プログラムに関する。
【背景技術】
【０００２】
画像表示装置において、表示画面に複数の画像が表示され、それら複数の画像の中から選択された画像に対して、印刷等の処理が行われる場合がある。印刷などの処理には、処理を実行するために設定が必要な設定項目が定められており、ユーザは、その設定項目に対し、設定値を設定することが可能となっている。下記特許文献には、印刷対象となる複数の画像とともにそれら画像に対して共通に設定された共通の設定値をユーザが確認可能に表示することが記載されている。
【先行技術文献】
【特許文献】
【０００３】
【特許文献１】特開２００３−９４７５７号公報
【発明の概要】
【発明が解決しようとする課題】
【０００４】
また、上記のように、複数の画像に対して共通に設定された共通の設定値を表示可能である一方、上記共通の設定とは異なり、複数の画像各々に対して、個別の設定値を設定することも可能であった。かかる場合、複数の画像の中から１つの画像が選択されることで、その画像に対して設定された個別の設定値が表示される。複数の画像を表示し、それら複数の画像に対して共通に設定された共通の設定値を確認ながら、画像毎に個別に設定された個別の設定値を確認する場合、画像一つ一つを選択し、画像毎に個別の設定値を表示させなければならず、この操作は煩雑なものであった。
【０００５】
本発明は、そのような事情に鑑みてなされたものであり、個別の設定項目及び共通の設定項目を簡便な操作により確認することが可能な画像表示装置及び画像表示装置の作動を制御する制御プログラムを提供する。
【課題を解決するための手段】
【０００６】
上記課題を解決するために、本発明に記載の画像表示装置は、複数の画像データを記憶するための記憶手段と、前記記憶手段に記憶されている前記画像データに基づく画像を表示するための表示手段と、前記表示手段に表示された画像をスクロールさせるためのスクロール手段と、前記表示手段への画像の表示を制御する制御装置とを備え、前記制御装置は、前記表示手段に画像を表示する画像表示制御部と、前記スクロール手段により、前記表示手段に表示された画像がスクロールしている場合に、前記複数の画像データに共通して設定されている共通設定を前記表示手段に表示するスクロール時共通設定表示制御部と、前記スクロール手段による画像のスクロールが停止した場合に、前記複数の画像データの各々に個別に設定されている個別設定を、その各々に対応して前記表示手段に表示する個別設定表示制御部とを有することを特徴とする。
【発明の効果】
【０００７】
本発明に記載の画像表示装置では、画像がスクロールしている場合に、共通設定が表示手段に表示され、スクロールが停止した場合に、個別設定が設定された画像に対応して、個別設定が表示手段に表示される。つまり、スクロール停止時には、個別設定が設定された全ての画像に個別設定が表示され、スクロール中には、共通設定が表示される。これにより、個別の設定項目及び共通の設定項目をスクロール操作により確認することが可能となり、非常に便利である。
【０００８】
また、共通設定の表示を、スクロール停止後に禁止することが可能である。これにより、共通設定と個別設定とが重複して表示されることを防止できる。
【０００９】
また、共通設定の表示を、スクロールが停止して所定時間経過後に禁止することが可能である。これにより、ユーザは、スクロール操作を終了して所定時間内に、共通設定の表示領域への操作を行うことが可能となり、操作性が向上する。なお、共通設定の表示領域への操作については、後に詳しく説明する。
【００１０】
また、個別設定の設定項目のうちの共通設定の設定項目と異なるものだけを、表示手段に表示することが可能である。これにより、個別設定表示領域を小さくすることが可能となり、画像の閲覧の妨げを抑制することが可能となる。
【００１１】
また、共通設定の表示領域への操作が入力された場合に、共通設定を設定するための設定画面を表示手段に表示することが可能である。つまり、共通設定の表示領域を、共通設定の設定画面を表示させるための表示ボタンとして機能させるのである。これにより、表示ボタンの表示を省略することが可能となる。
【００１２】
また、画像が所定の方向にスクロールしている場合に、共通設定を表示し、画像が所定の方向の反対方向にスクロールしている場合には、共通設定を表示しないことが可能である。これにより、所定のスクロール操作により、共通設定を表示手段から消すことが可能となり、画像の閲覧の妨げを抑制することが可能となる。
【００１３】
また、閲覧済みの画像が、スクロール操作により表示される場合のスクロール中に、共通設定を表示し、閲覧されていない画像が、スクロール操作により表示される場合のスクロール中には、共通設定を表示しないことが可能である。これにより、ユーザは、未表示の画像を、共通設定の表示に邪魔されることなく閲覧することが可能となる。
【００１４】
また、共通設定変更後に、個別設定の設定項目のうちの変更された共通設定の設定項目と異なるものだけを、表示手段に表示することが可能である。これにより、共通設定変更後においても、個別設定表示領域を小さくすることが可能となり、画像の閲覧の妨げを抑制することが可能となる。
【００１５】
また、個別設定の設定項目のうちの共通設定の変更により新たに表示される設定項目を、共通設定変更前の個別設定の設定項目の表示態様とは異なる態様で表示することが可能である。これにより、ユーザは、共通設定と異なる個別設定を確実に認定することが可能となる。
【００１６】
また、画像がスクロールしていなくても、スクロール操作により、共通設定を表示することが可能である。これにより、スクロールエンドにおいても、共通設定を表示することが可能となる。
【図面の簡単な説明】
【００１７】
【図１】ＭＦＰ１０のブロック図である。
【図２】スクロール停止時及びスクロール中の画像６０が表示されたパネル１６を示す図である。
【図３】個別設定変更画面７０が表示されたパネル１６を示す図である。
【図４】ＭＦＰ１０の動作フローチャートを示す図である。
【図５】ＭＦＰ１０の動作フローチャートを示す図である。
【図６】ＭＦＰ１０の動作フローチャートを示す図である。
【図７】ＭＦＰ１０の動作フローチャートを示す図である。
【図８】ＭＦＰ１０の動作フローチャートを示す図である。
【図９】ＭＦＰ１０の動作フローチャートを示す図である。
【図１０】ＭＦＰ１０の動作フローチャートを示す図である。
【発明を実施するための形態】
【００１８】
＜ＭＦＰの構成＞
図１に、本願に係る実施形態として例示されるＭＦＰ（Multifunction Peripheralの略）（本発明の画像表示装置の一例）１０のブロック図を示す。ＭＦＰ１０は、ＣＰＵ（Central Processing Unitの略）（本発明の制御装置の一例）１２、記憶部１４、パネル（本発明の表示手段の一例）１６、ボタン入力部（本発明のスクロール手段の一例）１８、プリンタ２０、スキャナ２２、モデム２４、電話回線接続部２６を主に備えている。これらの構成要素は、入出力ポート３０を介して互いに通信可能とされている。
【００１９】
パネル１６は、ＭＦＰ１０の各種機能を表示する表示面を備える。ボタン入力部１８は、タッチセンサを有し、パネル１６と一体的に構成されている。ボタン入力部１８は、入力媒体のパネル１６への接近・接触を検出し、ユーザによるボタン操作を受け付ける。さらに、ボタン入力部１８は、入力媒体の接近・接触した状態でのスライド方向を検出し、ユーザによるフリック操作を受け付ける。
【００２０】
プリンタ２０は、印刷を実行する部位である。スキャナ２２は、原稿をスキャンして、スキャンデータを作成する部位である。モデム２４は、ファクシミリ機能によって送信する原稿データを、電話回線網３２に伝送可能な信号に変調して電話回線接続部２６を介して送信したり、電話回線網３２から電話回線接続部２６を介して入力された信号を受信し、原稿データを復調するものである。
【００２１】
また、ＣＰＵ１２は、記憶部１４内の表示プログラム（本発明の制御プログラムの一例）５０に従って処理を実行する。表示プログラム５０は、画像をパネル１６に表示するためのプログラムである。なお、記憶部１４は、ＲＡＭ（Random Access Memoryの略）、ＲＯＭ（Read Only Memoryの略）、フラッシュメモリー、ＨＤＤ（ハードディスクの略）、ＣＰＵ１２が備えるバッファなどが組み合わされて構成されている。
【００２２】
また、記憶部１４は、データ記憶領域（本発明の記憶手段の一例）５２を備える。データ記憶領域５２は、パネル１６に表示するための画像の画像データ、表示プログラム５０の実行に必要なデータなどを記憶する領域である。ちなみに、データ記憶領域５２に記憶される画像データは、パーソナルコンピュータ，メモリカード等から取得することができる。詳しくは、ＭＦＰ１０は、ネットワークインタフェース（不図示）を備え、通信可能に接続されるパーソナルコンピュータなどから画像データを受信し、その画像データをデータ記憶領域５２に記憶することができる。また、ＭＦＰ１０は、メモリカードインタフェース（不図示）を備え、メモリカードインタフェースに接続されたメモリカードから、画像データを取得し、その画像データをデータ記憶領域５２に記憶することもできる。
【００２３】
＜パネルへの画像の表示＞
ユーザが写真等の画像をプリンタ２０により印刷する際には、図２（ａ）に示すように、複数の画像データに基づく画像６０が、パネル１６に表示される。ちなみに、図２（ａ）では、「１」から「６」の６枚の画像６０が表示されている。そして、入力媒体の接近・接触により、印刷候補の画像６０が選択される。選択された画像６０には、印刷を実行するための設定値が設定される所定の設定項目が設定されている。具体的な設定項目としては、印刷画像の画質、印刷媒体のサイズ、拡大率等が挙げられる。これらの設定項目には、デフォルト設定として予め設定値が設定されており、ユーザが画像毎に個別の設定を行わない場合には、予め設定されているこの設定値に従って画像が印刷される。このデフォルト設定として予め決められている設定値は、画像毎に個別に設定値が設定されていないすべての画像に対して共通して予め設定されるものであり、本実施形態においては、そのような設定値のことを共通設定と称する。また、後述するように、本実施形態のＭＦＰ１０は、共通に設定された共通設定から、画像毎に、かつ、設定項目毎に、個別に設定値を変更することができる。本実施形態において、このように画像毎に個別に設定した設定値のことを個別設定と称する。
【００２４】
一方で、ユーザが画像毎に個別の設定を行うことで、個別に設定された設定値に従った画像を印刷することができる。具体的な設定方法としては、ユーザが、設定値を変更したい画像６０に入力媒体を接近・接触させることで、パネル１６に、図３に示す個別設定変更画面７０が表示される。個別設定変更画面７０には、選択された画像６０、戻るボタン７２、設定ボタン７４、確定ボタン７６、枚数増加ボタン７８、枚数減少ボタン８０、枚数表示部８２が表示される。
【００２５】
戻るボタン７２は、選択した画像６０の設定値を変更することなく、複数の画像６０が表示される画面（図２（ａ）参照）に戻るためのものである。設定ボタン７４は、選択した画像の設定値を変更するためのものであり、設定ボタン７４の操作により、設定値を詳細に設定するための画面（図示省略）が表示される。枚数増加ボタン７８及び枚数減少ボタン８０は、選択された画像６０の印刷枚数を増減させるためのものであり、枚数表示部８２には、選択された画像６０の印刷枚数が表示される。つまり、枚数増加ボタン７８及び枚数減少ボタン８０の操作により、枚数表示部８２に表示される数字が増減する。確定ボタン７６は、選択した画像６０の設定値の変更を確定するとともに、選択した画像を、印刷候補の画像６０として決定するものである。なお、確定ボタン７６の操作により複数の画像６０が表示される画面（図２（ａ）参照）に戻り、印刷候補の画像６０には、チェックマーク８４が表示される。
【００２６】
上記操作により画像６０毎に設定された設定値は、図２（ａ）に示すように、個別設定として、各画像６０の上に位置する個別設定表示部８６に表示される。個別設定表示部８６には、複数の設定項目毎に、予め設定された設定値、つまり、全ての画像に共通して設定されている共通設定の設定値と異なるものだけが表示される。その際、設定項目とその設定項目に設定された設定値とが表示される。これにより、個別設定表示部８６に表示される設定値の占める領域を小さくすることが可能となり、画像６０の閲覧の妨げを少なくすることが可能となる。なお、各画像６０の個別設定表示部８６への設定値の表示色は、白色である。
【００２７】
具体的に、共通設定として、印刷画像の画質を設定する設定項目に対し設定値が「Ｎｏｒｍａｌ」に、印刷媒体のサイズを設定する設定項目に対し設定値が「Ａ４」に、拡大率を設定する設定項目に対し設定値が「１００％」に、それぞれ設定されている場合について説明する。パネル１６に表示されている「１」の画像６０に対して、個別設定により、画質の設定値が「Ｈｉｇｈ」に設定された場合には、その画質の設定値のみが、共通設定と異なるため、「１」の画像６０の個別設定表示部８６には、画質の設定値のみが表示される。また、パネル１６に表示されている「３」の画像６０に対して、個別設定により、画質の設定値が「Ｈｉｇｈ」に設定され、サイズの設定値が「Ａ３」に設定された場合には、画質及びサイズの設定値が、共通設定と異なるため、「３」の画像６０の個別設定表示部８６には、画質及びサイズの設定値が表示される。なお、パネル１６に表示されている「５」の画像６０は、印刷候補の画像として選択されているが、個別設定により、設定値が設定されていないため、「５」の画像６０の個別設定表示部８６には、設定値は表示されない。
【００２８】
また、パネル１６に表示されている画像は、ユーザのパネル１６への左右方向のフリック操作により、左右にスクロールさせることが可能である。具体的には、例えば、ユーザによる左方向へのフリック操作により、図２（ｂ）に示すように、画像６０をスクロールさせることが可能である。なお、図に示される矢印８８は、フリック方向及びスクロール方向を示している。
【００２９】
この操作により、パネル１６には、表示されている画像とは異なる画像（図では、「７」から「１０」の画像）が表示される。この際、画像６０のスクロールにより、各画像６０の個別設定表示部８６への設定値の表示が消され、パネル１６の中央部に位置する共通設定表示部９０に、共通設定が表示される。具体的には、印刷画像の画質の設定値が「Ｎｏｒｍａｌ」、印刷媒体のサイズの設定値が「Ａ４」、拡大率の設定値が「１００％」である旨の設定値が、共通設定表示部９０に表示される。なお、共通設定表示部９０への設定値の表示色は、白色である。
【００３０】
つまり、フリック操作により画像６０がスクロールしているときには、共通設定表示部９０に共通設定が表示され、画像６０がスクロールしていないときには、画像６０毎に個別設定表示部８６に個別設定が表示される。これにより、スクロール操作を切り換えるだけで、共通設定と個別設定との表示を切り換えることが可能となり、印刷画像の設定確認を容易に行うことが可能となる。
【００３１】
ただし、画像６０が所定の方向、具体的には、ユーザの視点で右方向にスクロールしている場合にのみ、共通設定表示部９０に共通設定が表示され、画像６０が所定の方向の反対方向、つまり、ユーザの視点で左方向にスクロールしている場合には、共通設定表示部９０に共通設定が表示されないように設定することが可能である。画像６０が右方向にスクロールしている際には、多くの場合において、パネル１６に既に表示されていた画像６０が、スクロールにより、再度、パネル１６に表示される。一方、画像６０が左方向にスクロールしている際には、多くの場合において、パネル１６に未だ表示されていない画像６０が、スクロールにより、パネル１６に表示される。つまり、未表示の画像６０がパネル１６に表示される際には、共通設定表示部９０に共通設定が表示されず、既表示の画像６０がパネル１６に表示される際には、共通設定表示部９０に共通設定が表示される。これにより、ユーザは、未表示の画像６０を、共通設定の表示に遮られることなく閲覧することが可能となる。
【００３２】
また、画像６０のスクロール方向に依拠することなく、画像６０が未表示であるか既表示であるかに依拠して、共通設定表示部９０に共通設定を表示することが可能である。具体的には、パネル１６に表示された画像を特定するための情報をデータ記憶領域５２に記憶させる。そして、その記憶された情報に基づいて特定される画像が、スクロールによりパネル１６に表示される場合のスクロール中にのみ、共通設定表示部９０に共通設定を表示させる。一方、記憶された情報に基づいて特定されない画像が、スクロールによりパネル１６に表示される場合のスクロール中には、共通設定表示部９０に共通設定を表示させない。これにより、未表示の画像６０がパネル１６に表示される際に、共通設定の表示を確実に禁止することが可能となる。
【００３３】
なお、本実施形態では、右方向へのスクロール時に共通設定表示部９０を表示する手法と、画像６０が既表示であるときに共通設定表示部９０を表示する手法と、スクロール時には常時共通設定表示部９０を表示する手法のうちのいずれかの手法が選択可能となっている。
【００３４】
また、ユーザが、パネル１６の共通設定表示部９０の表示領域を操作することで、共通設定を変更するための共通設定変更画面（図示省略）がパネル１６に表示される。そして、共通設定変更画面を操作することで、共通設定を変更することが可能となっている。つまり、共通設定表示部９０の表示領域が、共通設定変更画面を表示させるための操作ボタンとして機能している。これにより、共通設定変更画面を表示させるための操作ボタンをパネル１６に表示させる必要が無くなり、パネル１６のスペースを有効に活用できる。
【００３５】
また、共通設定表示部９０のパネル１６への表示は、画像６０のスクロールが停止して所定時間経過した後に消される。これにより、ユーザは、フリック操作を終了して所定時間内に、共通設定表示部９０への操作を行うことが可能となり、操作性が向上する。
【００３６】
共通設定変更画面の操作により、共通設定が変更された場合には、変更された共通設定と異なる設定のみが、個別設定表示部８６に表示される。具体的に、例えば、図２（ｂ）に示される共通設定表示部９０に表示されている共通設定に対して、印刷画像の画質の背定値が「Ｎｏｒｍａｌ」から「Ｈｉｇｈ」に変更された場合について説明する。パネル１６に表示されている「１」の画像６０の画質の設定値は「Ｈｉｇｈ」であり（図２（ａ）参照）、変更後の共通設定の画質の設定値と同じである。このため、「１」の画像６０の個別設定表示部８６に、個別設定は表示されない。つまり、「１」の画像６０の個別設定表示部８６に示される画質の設定値（図２（ａ）参照）は消される。
【００３７】
また、パネル１６に表示されている「３」の画像６０の画質の設定値は「Ｈｉｇｈ」であり（図２（ａ）参照）、変更後の共通設定の画質の設定値と同じである。このため、「３」の画像６０の個別設定表示部８６に、個別設定は表示されない。ただし、「３」の画像６０のサイズの設定値は「Ａ３」であり（図２（ａ）参照）、変更後の共通設定のサイズの設定値と異なるため、「３」の画像６０の個別設定表示部８６に、サイズの設定値は表示される。つまり、「３」の画像６０の個別設定表示部８６に示される画質の設定値（図２（ａ）参照）が消される。
【００３８】
また、パネル１６に表示されている「５」の画像６０の画質の設定値は、変更前の共通設定と同じであるため、「Ｎｏｒｍａｌ」である。しかし、共通設定の変更により、「５」の画像６０の画質の設定値は、変更後の共通設定の画質の設定値と異なる。このため、「５」の画像６０の個別設定表示部８６に、画質の設定値が表示される。なお、「５」の画像６０への画質の設定値の表示色は、赤色とされる。
【００３９】
このように、共通設定変更時に、変更された共通設定と異なる設定値のみが、個別設定表示部８６に表示される。これにより、個別設定表示部８６に表示される個別設定の占める領域を小さくすることが可能となり、画像６０の閲覧の妨げを少なくすることが可能となる。さらに、共通設定の変更により、新たに個別設定表示部８６に表示される設定値は、赤色で表示される。これにより、ユーザは、共通設定と異なる設定を確実に認定することが可能となる。
【００４０】
また、フリック操作により画像６０がスクロールしない場合であっても、共通設定表示部９０に共通設定が表示される。具体的には、パネル１６の表示画像がスクロールエンドまでスクロールした場合には、フリック操作が実行されても、画像６０はスクロールしない。このような場合であっても、フリック操作が実行されている際には、共通設定表示部９０に共通設定が表示される。これにより、ユーザは、スクロールエンドにおいても、共通設定表示部９０に共通設定を表示させることが可能となる。ちなみに、スクロールエンドとは、パネル１６に表示される複数の画像のスクロール方向の末端である。
【００４１】
＜表示プログラム＞
上述した画像及び印刷画像の設定値の表示は、ＣＰＵ１２において表示プログラム５０が実行されることによって行われる。例えば、この表示は、ボタン入力部１８を介し、ユーザから画像印刷指示を受け付けた場合に開始される。具体的に、図４乃至図１０を用いて、原稿及び印刷画像の設定値をパネル１６に表示させるためのフローを説明する。
【００４２】
表示プログラム５０では、ユーザによるパネル１６への操作を検出するための操作検出フローが実行される。操作検出フローでは、まず、ユーザの指等の指示体がパネル１６に接近・接触したか否かが、ＣＰＵ１２によって判断される（ステップ（以下、「Ｓ」と略す）１００）。指示体がパネル１６に接近・接触した場合には（Ｓ１００のＹＥＳ）、指示座標（Ｘ１，Ｙ１）が前回指示座標（Ｘ０，Ｙ０）として記憶される（Ｓ１０２）。次に、指示座標（Ｘ１，Ｙ１）がイベント座標（ｘｅ，ｙｅ）として記憶される（Ｓ１０４）。そして、イベントの種別が「タッチ」として記憶され（Ｓ１０６）、操作検出フローが終了する。なお、この操作検出フローは終了すると、再び開始される。
【００４３】
また、Ｓ１００で指示体がパネル１６に接近・接触していない場合には（Ｓ１００のＮＯ）、前回指示座標（Ｘ０，Ｙ０）と異なる指示座標（Ｘ１，Ｙ１）を検出したか否かが、ＣＰＵ１２によって判断される（Ｓ１０８）。すなわち、Ｓ１００において、肯定判断され（Ｓ１００のＹＥＳ）、Ｓ１０２ないしＳ１０６の処理を経た後、指示体がパネル１６に接近・接触したままの状態において、再び操作検出フローが開始された場合に、Ｓ１０８の判断処理が実行される。前回指示座標（Ｘ０，Ｙ０）と異なる指示座標（Ｘ１，Ｙ１）が検出された場合には（Ｓ１０８のＹＥＳ）、指示座標（Ｘ１，Ｙ１）がイベント座標（ｘｅ，ｙｅ）として記憶される（Ｓ１１０）。次に、指示座標（Ｘ１，Ｙ１）が前回指示座標（Ｘ０，Ｙ０）として記憶される（Ｓ１１２）。そして、イベントの種別が「ドラッグ」として記憶され（Ｓ１１４）、操作検出フローが終了する。
【００４４】
また、Ｓ１０８で前回指示座標（Ｘ０，Ｙ０）と異なる指示座標（Ｘ１，Ｙ１）が検出されていない場合には（Ｓ１０８のＮＯ）、パネル１６から指示体が離れたか否かが、ＣＰＵ１２によって判断される（Ｓ１１６）。パネル１６から指示体が離れた場合には（Ｓ１１６のＹＥＳ）、前回指示座標（Ｘ０，Ｙ０）がイベント座標（ｘｅ，ｙｅ）として記憶される（Ｓ１１８）。そして、イベントの種別が「リリース」として記憶され（Ｓ１２０）、操作検出フローが終了する。なお、Ｓ１１６でパネル１６から指示体が離れていない場合には（Ｓ１１６のＮＯ）、操作検出フローが終了する。
【００４５】
また、表示プログラム５０では、画像及び設定値をイベント種別に応じてパネル１６に表示するためのメインフローが実行される。例えば、この表示は、ボタン入力部１８を介し、ユーザから画像印刷指示を受け付けた場合に開始される。このメインフローは上述の操作検出フローと並列して実行される。メインフローでは、まず、初期画面、つまり、図２（ａ）に相当する画面が、パネル１６に表示される（Ｓ２００）。ただし、初期画面には、チェックマーク８４及び個別設定表示部８６は表示されない。
【００４６】
次に、操作検出フローにおいてイベントの種別が取得されたか否かが、ＣＰＵ１２によって判断される（Ｓ２０４）。イベントの種別が取得されていない場合には（Ｓ２０４のＮＯ）、Ｓ２０４の処理が繰り返される。一方、イベントの種別が取得されている場合には（Ｓ２０４のＹＥＳ）、取得されたイベントの種別が「１秒経過イベント」であるか否かが、ＣＰＵ１２によって判断される（Ｓ２０６）。なお、「１秒経過イベント」については、後に説明する。
【００４７】
イベントの種別が「１秒経過イベント」でない場合には（Ｓ２０６のＮＯ）、イベント座標（ｘｅ，ｙｅ）が指示座標（ＸＮ，ＹＮ）として記憶される（Ｓ２０８）。そして、イベントの種別が「タッチ」であるか否かが、ＣＰＵ１２によって判断される（Ｓ２１０）。イベントの種別が「タッチ」である場合には（Ｓ２１０のＹＥＳ）、図６に示すタッチ開始処理フローに従った処理が行われる（Ｓ２１２）。
【００４８】
タッチ開始処理フローでは、パネル１６の共通設定表示部９０に共通設定が表示されているか否かが、ＣＰＵ１２によって判断される（Ｓ２３０）。共通設定が表示されている場合には（Ｓ２３０のＹＥＳ）、Ｓ２３８に進む。一方、共通設定が表示されていない場合には（Ｓ２３０のＮＯ）、指示座標（ＸＮ，ＹＮ）が何れかの画像の押下可能領域内、つまり、画像の上にあるか否かが、ＣＰＵ１２によって判断される（Ｓ２３２）。
【００４９】
指示座標（ＸＮ，ＹＮ）が何れかの画像の押下可能領域内にない場合には（Ｓ２３２のＮＯ）、Ｓ２３８に進む。一方、指示座標（ＸＮ，ＹＮ）が何れかの画像の押下可能領域内にある場合には（Ｓ２３２のＹＥＳ）、押下の対象となる画像が強調的に表示される（Ｓ２３４）。そして、ボタン押下状態フラグが「ＯＮ」に設定される（Ｓ２３６）。なお、ボタン押下状態フラグは、画像の上をユーザがタッチしているか否かを示すフラグであり、「ＯＮ」に設定されることで、画像の上をユーザがタッチしていることを示す。
【００５０】
次に、指示座標（ＸＮ，ＹＮ）がスクロール可能な領域内にあるか否かが、ＣＰＵ１２によって判断される（Ｓ２３８）。つまり、指示座標（ＸＮ，ＹＮ）が画面上のスクロール操作が可能な範囲内にあるか否かが、ＣＰＵ１２によって判断される。指示座標（ＸＮ，ＹＮ）がスクロール可能な領域内にない場合には（Ｓ２３８のＮＯ）、タッチ開始処理フローが終了する。一方、指示座標（ＸＮ，ＹＮ）がスクロール可能な領域内にある場合には（Ｓ２３８のＹＥＳ）、スクロール可能フラグが「ＯＮ」に設定される（Ｓ２４０）。なお、スクロール可能フラグは、スクロール操作が可能であるか否かを示すフラグであり、「ＯＮ」に設定されることで、スクロール操作が可能であることを示す。そして、スクロール開始フラグが「ＯＦＦ」に設定される（Ｓ２４２）。なお、スクロール開始フラグは、スクロール操作に応じた画面のスクロールが許容されているか否かを示すフラグであり、「ＯＦＦ」に設定されることで、スクロールが許容されていないことを示す。
【００５１】
続いて、指示座標（ＸＮ，ＹＮ）が前回指示座標（Ｘ０，Ｙ０）として記憶される（Ｓ２４４）。そして、パネル１６の共通設定表示部９０に共通設定が表示されているか否かが、ＣＰＵ１２によって判断される（Ｓ２４６）。共通設定が表示されていない場合には（Ｓ２４６のＮＯ）、タッチ開始処理フローが終了する。一方、共通設定が表示されている場合には（Ｓ２４６のＹＥＳ）、共通設定押下検出フラグが「ＯＮ」に設定される（Ｓ２４８）。なお、共通設定押下検出フラグは、共通設定表示部９０が操作されたか否かを示すフラグであり、「ＯＮ」に設定されることで、共通設定表示部９０が操作されていることを示す。以上の処理により、タッチ開始処理フローが終了すると、メインフローに戻り、メインフローが終了する。
【００５２】
また、メインフローにおいて、Ｓ２１０でイベントの種別が「タッチ」でない場合には（Ｓ２１０のＮＯ）、イベントの種別が「ドラッグ」であるか否かが、ＣＰＵ１２によって判断される（Ｓ２１４）。イベントの種別が「ドラッグ」である場合には（Ｓ２１４のＹＥＳ）、図７に示すドラッグ処理フローに従った処理が行われる（Ｓ２１６）。
【００５３】
ドラッグ処理フローでは、スクロール操作が可能な領域がパネル１６に表示されているか否かが、ＣＰＵ１２によって判断される（Ｓ２５０）。スクロール領域がパネル１６に表示されていない場合には（Ｓ２５０のＮＯ）、Ｓ２７４に進む。一方、スクロール領域がパネル１６に表示されている場合には（Ｓ２５０のＹＥＳ）、スクロール可能フラグが「ＯＮ」に設定されているか否かが、ＣＰＵ１２によって判断される（Ｓ２５２）。スクロール可能フラグが「ＯＮ」に設定されていない場合（Ｓ２５２のＮＯ）、Ｓ２７４に進む。一方、スクロール可能フラグが「ＯＮ」に設定されている場合には（Ｓ２５２のＹＥＳ）、指示座標（ＸＮ，ＹＮ）がスクロール可能な領域内にあるか否かが、ＣＰＵ１２によって判断される（Ｓ２５４）。
【００５４】
指示座標（ＸＮ，ＹＮ）がスクロール可能な領域内にない場合には（Ｓ２５４のＮＯ）、スクロール可能フラグ及びスクロール開始フラグが「ＯＦＦ」に設定される（Ｓ２７２）。そして、Ｓ２７４に進む。一方、指示座標（ＸＮ，ＹＮ）がスクロール可能な領域内にある場合には（Ｓ２５４のＹＥＳ）、指示座標の移動方向とスクロール方向とが一致するか否かが、ＣＰＵ１２によって判断される（Ｓ２５６）。
【００５５】
指示座標の移動方向とスクロール方向とが一致しない場合（Ｓ２５６のＮＯ）、具体的には、スクロール方向が左右方向であるが、指示座標の移動方向が上下方向である場合には、Ｓ２７４に進む。一方、指示座標の移動方向とスクロール方向とが一致する場合には（Ｓ２５６のＹＥＳ）、スクロール開始フラグが「ＯＦＦ」に設定されているか否かが、ＣＰＵ１２によって判断される（Ｓ２５８）。スクロール開始フラグが「ＯＦＦ」に設定されていない場合には（Ｓ２５８のＮＯ）、Ｓ２６４に進む。一方、スクロール開始フラグが「ＯＦＦ」に設定されている場合には（Ｓ２５８のＹＥＳ）、スクロール開始フラグが「ＯＮ」に設定される（Ｓ２６０）。そして、パネル１６の個別設定表示部８６に表示されている個別設定の表示が消される（Ｓ２６２）。
【００５６】
次に、スクロール方向に画像が存在するか否かが、ＣＰＵ１２によって判断される（Ｓ２６４）。スクロール方向に画像が存在しない場合には（Ｓ２６４のＮＯ）、Ｓ２６８に進む。一方、スクロール方向に画像が存在する場合には（Ｓ２６４のＹＥＳ）、指示体の移動距離に従って、パネル１６に画面スクロールが描画される（Ｓ２６６）。そして、図８に示す共通設定内容表示フローに従った処理が行われる（Ｓ２６８）。
【００５７】
共通設定内容表示フローでは、共通設定表示部９０に共通設定がスクロール中に常に表示されるように設定されているか否かが、ＣＰＵ１２によって判断される（Ｓ２９０）。共通設定がスクロール中に常に表示されるように設定されている場合には（Ｓ２９０のＹＥＳ）、現在設定されている共通設定の設定項目が取得される（Ｓ２９２）。次に、取得した共通設定の設定項目の一覧表示が白文字で作成される（Ｓ２９４）。そして、スクロール中の画像の前面に、共通設定の設定項目の一覧表示が白文字で表示され（Ｓ２９６）、共通設定内容表示フローが終了する。
【００５８】
また、Ｓ２９０で共通設定がスクロール中に常に表示されるように設定されていない場合には（Ｓ２９０のＮＯ）、閲覧済みページのスクロール中に共通設定が表示されるように設定されているか否かが、ＣＰＵ１２によって判断される（Ｓ２９８）。閲覧済みページのスクロール中に共通設定が表示されるように設定されている場合には（Ｓ２９８のＹＥＳ）、今回のスクロールが閲覧済みページへのスクロールか否かが、ＣＰＵ１２によって判断される（Ｓ３００）。
【００５９】
今回のスクロールが閲覧済みページへのスクロールである場合には（Ｓ３００のＹＥＳ）、Ｓ２９２以降の処理が行われ、共通設定内容表示フローが終了する。一方、今回のスクロールが閲覧済みページへのスクロールでない場合には（Ｓ３００のＮＯ）、共通設定表示部９０に共通設定が表示されているか否かが、ＣＰＵ１２によって判断される（Ｓ３０６）。共通設定が表示されていない場合には（Ｓ３０６のＮＯ）、共通設定内容表示フローが終了する。一方、共通設定が表示されている場合には（Ｓ３０６のＹＥＳ）、共通設定表示部９０に表示されている共通設定の表示が消される（Ｓ３０８）。そして、共通設定内容表示フローが終了する。
【００６０】
また、Ｓ２９８で閲覧済みページのスクロール中に共通設定が表示されるように設定されていない場合には（Ｓ２９８のＮＯ）、共通設定が右方向へのスクロール中に表示されるように設定されているか否かが、ＣＰＵ１２によって判断される（Ｓ３０２）。
【００６１】
共通設定が右方向へのスクロール中に表示されるように設定されていない場合には（Ｓ３０２のＮＯ）、Ｓ３０６以降の処理が行われ、共通設定内容表示フローが終了する。一方、共通設定が右方向へのスクロール中に表示されるように設定されている場合には（Ｓ３０２のＹＥＳ）、今回のスクロールが右方向へのスクロールか否かが、ＣＰＵ１２によって判断される（Ｓ３０４）。今回のスクロールが右方向へのスクロールである場合には（Ｓ３０４のＹＥＳ）、Ｓ２９２以降の処理が行われ、共通設定内容表示フローが終了する。一方、今回のスクロールが右方向へのスクロールでない場合には（Ｓ３０４のＮＯ）、Ｓ３０６以降の処理が行われ、共通設定内容表示フローが終了する。
【００６２】
共通設定内容表示フローが終了すると、ドラッグ処理フローにおいて、指示座標（ＸＮ，ＹＮ）が前回指示座標（Ｘ０，Ｙ０）として記憶される（Ｓ２７０）。そして、ドラッグ処理フローが終了する。
【００６３】
また、ドラッグ処理フローでは、Ｓ２７４でボタン押下状態フラグが「ＯＮ」に設定されているか否かが、ＣＰＵ１２によって判断される（Ｓ２７４）。ボタン押下状態フラグが「ＯＮ」に設定されていない場合には（Ｓ２７４のＮＯ）、Ｓ２８２に進む。一方、ボタン押下状態フラグが「ＯＮ」に設定されている場合には（Ｓ２７４のＹＥＳ）、指示座標（ＸＮ，ＹＮ）が何れかの画像の表示領域外にあるか否かが、ＣＰＵ１２によって判断される（Ｓ２７６）。
【００６４】
指示座標（ＸＮ，ＹＮ）が何れかの画像の表示領域外にない場合には（Ｓ２７６のＮＯ）、Ｓ２８２に進む。一方、指示座標（ＸＮ，ＹＮ）が何れかの画像の表示領域外にある場合には（Ｓ２７６のＹＥＳ）、押下の対象となる画像の強調表示が終了する（Ｓ２７８）。次に、ボタン押下状態フラグが「ＯＦＦ」に設定される（Ｓ２８０）。続いて、共通設定表示部９０への共通設定の表示が消される（Ｓ２８２）。そして、図９に示す個別設定内容表示フローに従った処理が行われる（Ｓ２８４）。
【００６５】
個別設定内容表示フローでは、印刷対象画像のうち個別設定がされている画像が検索される（Ｓ３１０）。次に、検索対象の画像が存在したか否かが、ＣＰＵ１２によって判断される（Ｓ３１２）。検索対象の画像が存在していない場合には（Ｓ３１２のＮＯ）、個別設定内容表示フローが終了する。一方、検索対象の画像が存在している場合には（Ｓ３１２のＹＥＳ）、検索対象の画像の個別設定の設定値が取得される（Ｓ３１４）。
【００６６】
次に、今回の個別設定表示部８６への個別設定の表示が、共通設定変更後の初めての表示であるか否かが、ＣＰＵ１２によって判断される（Ｓ３１６）。今回の個別設定の表示が、共通設定変更後の初めての表示である場合には（Ｓ３１６のＹＥＳ）、個別設定の設定値のうちの共通設定変更後に初めて表示されるものの表示が、赤文字で作成され、個別設定の設定値のうちの残りのものの表示が、白文字で作成される（Ｓ３１８）。続いて、検索対象の画像の前面に、個別設定が表示される（Ｓ３２０）。そして、個別設定内容表示フローが終了する。
【００６７】
また、Ｓ３１６で今回の個別設定の表示が、共通設定変更後の初めての表示でない場合には（Ｓ３１６のＮＯ）、個別設定の設定項目の表示が、白文字で作成される（Ｓ３２２）。続いて、検索対象の画像の前面に、個別設定が白文字で表示される（Ｓ３２４）。そして、個別設定内容表示フローが終了する。
【００６８】
個別設定内容表示フローが終了すると、ドラッグ処理フローにおいて、共通設定押下検出フラグが「ＯＦＦ」に設定される（Ｓ２８６）。そして、ドラッグ処理フローが終了する。以上の処理により、ドラッグ処理フローが終了すると、メインフローに戻り、メインフローが終了する。
【００６９】
また、メインフローにおいて、Ｓ２１４でイベントの種別が「ドラッグ」でない場合には（Ｓ２１４のＮＯ）、イベントの種別が「リリース」であるか否かが、ＣＰＵ１２によって判断される（Ｓ２１８）。イベントの種別が「リリース」でない場合には（Ｓ２１８のＮＯ）、メインフローが終了する。一方、イベントの種別が「リリース」である場合には（Ｓ２１８のＹＥＳ）、図１０に示すリリース処理フローに従った処理が行われる（Ｓ２２０）。
【００７０】
リリース処理フローでは、スクロール領域がパネル１６に表示されているか否かが、ＣＰＵ１２によって判断される（Ｓ３３０）。スクロール領域がパネル１６に表示されている場合には（Ｓ３３０のＹＥＳ）、スクロール開始フラグが「ＯＮ」に設定されているか否かが、ＣＰＵ１２によって判断される（Ｓ３３２）。スクロール開始フラグが「ＯＮ」に設定されている場合には（Ｓ３３２のＹＥＳ）、１秒経過タイマがセットされる（Ｓ３３４）。ちなみに、１秒経過タイマがセットされてから、１秒が経過すると、イベントの種別が「１秒経過イベント」とされる。次に、スクロール可能フラグが「ＯＦＦ」に設定される（Ｓ３３６）。そして、スクロール開始フラグが「ＯＦＦ」に設定され（Ｓ３３６）、リリース処理フローが終了する。
【００７１】
また、Ｓ３３０でスクロール領域がパネル１６に表示されていない場合（Ｓ３３０のＮＯ）、若しくは、Ｓ３３２でスクロール開始フラグが「ＯＮ」に設定されていない場合には（Ｓ３３２のＮＯ）、共通設定押下検出フラグが「ＯＮ」に設定されているか否かが、ＣＰＵ１２によって判断される（Ｓ３４０）。共通設定押下検出フラグが「ＯＮ」に設定されていない場合には（Ｓ３４０のＮＯ）、Ｓ３４８に進む。
【００７２】
一方、共通設定押下検出フラグが「ＯＮ」に設定されている場合には（Ｓ３４０のＹＥＳ）、パネル１６に共通設定変更画面が表示される（Ｓ３４２）。次に、共通設定押下検出フラグが「ＯＦＦ」に設定される（Ｓ３４４）。続いて、１秒経過タイマがクリアされる（Ｓ３４６）。そして、ボタン押下状態フラグが「ＯＮ」に設定されているか否かが、ＣＰＵ１２によって判断される（Ｓ３４８）。
【００７３】
ボタン押下状態フラグが「ＯＮ」に設定されていない場合には（Ｓ３４８のＮＯ）、リリース処理フローが終了する。一方、ボタン押下状態フラグが「ＯＮ」に設定されている場合には（Ｓ３４８のＹＥＳ）、押下の対象となる画像の強調表示が終了する（Ｓ３５０）。次に、押下の対象に応じた個別設定変更画面７０がパネル１６に表示される（Ｓ３５２）。続いて、ボタン押下状態フラグが「ＯＦＦ」に設定される（Ｓ３５４）。そして、リリース処理フローが終了する。
【００７４】
以上の処理により、リリース処理フローが終了すると、メインフローに戻り、メインフローが終了する。
【００７５】
また、メインフローにおいて、Ｓ２０６でイベントの種別が「１秒経過イベント」である場合には（Ｓ２０６のＹＥＳ）、共通設定表示部９０への共通設定の表示が消される（Ｓ２２４）。次に、個別設定内容表示フローの処理が実行される（Ｓ２２６）。そして、共通設定押下検出フラグが「ＯＮ」に設定され（Ｓ２２８）、メインフローが終了する。
【００７６】
＜ＣＰＵの機能構成＞
上記表示プログラム５０を実行するＣＰＵ１２は、それの実行処理に鑑みれば、図１に示すような機能構成を有するものと考えることができる。図から解るように、ＣＰＵ１２は、画像表示制御部１００（本発明の画像表示制御部及び画像表示制御手段の一例）と、スクロール時共通設定表示制御部１０２（本発明のスクロール時共通設定表示制御部及びスクロール時共通設定表示制御手段の一例）と、個別設定表示制御部１０４（本発明の個別設定表示制御部及び個別設定表示制御手段の一例）と、操作時共通設定表示制御部１０６（本発明の操作時共通設定表示制御部の一例）と、共通設定画面表示制御部１０８（本発明の共通設定画面表示制御部の一例）と、記憶部１１０（本発明の記憶部の一例）を有している。
【００７７】
画像表示制御部１００は、上記表示プログラム５０のＳ２００の処理を実行する機能部、つまり、パネル１６に画像を表示する機能部である。スクロール時共通設定表示制御部１０２は、上記表示プログラム５０のＳ２６８の処理を実行する機能部、つまり、スクロール中に共通設定を表示する機能部である。個別設定表示制御部１０４は、上記表示プログラム５０のＳ２８４の処理を実行する機能部、つまり、スクロールが停止している際に個別設定を表示する機能部である。操作時共通設定表示制御部１０６は、上記表示プログラム５０のＳ２６８の処理を実行する機能部、つまり、画像がスクロールしていなくても、スクロール操作中に共通設定を表示する機能部である。共通設定画面表示制御部１０８は、上記表示プログラム５０のＳ３４２の処理を実行する機能部、つまり、共通設定表示部９０への操作により、共通設定を変更するための画面を表示する機能部である。記憶部１１０は、上記表示プログラム５０のＳ３００の処理を実行する機能部、つまり、パネル１６に表示された画像を特定するための情報を記憶する機能部である。
【００７８】
なお、本発明は、上記実施形態に限定されるものではなく、当業者の知識に基づいて種々の変更、改良を施した種々の態様で実施することが可能である。具体的には、例えば、上記実施形態では、画像及び設定項目を表示する画像表示装置として、ＭＦＰ１０が採用されているが、印刷機、ＰＣ（Personal computerの略）、携帯端末等が採用されてもよい。
【００７９】
また、上記実施形態では、個別設定表示部８６および共通設定表示部９０が、画像６０の上に表示されているが、画像６０と重ならない位置、例えば、画像６０の上方、下方、側方等に表示されてもよい。
【００８０】
また、上記実施形態では、共通設定の変更により個別設定が新たに表示される際に、表示色が異なるように個別設定が表示されているが、別の異なる態様で個別設定を表示してもよい。具体的には、共通設定の変更により個別設定が新たに表示される際に、個別設定が、輝度の異なるように表示されてもよく、点滅等により表示されてもよい。
【００８１】
また、上記実施例では、個別設定表示部８６に共通設定と異なる設定項目の設定値が表示されているが、全ての設定項目の設定値を表示してもよい。つまり、例えば、１つの設定項目の設定値が、個別に設定された場合に、その１つの設定項目の設定値だけでなく、その画像に設定されている設定値（個別に設定されていない設定項目の設定値も含めた設定値）を全て個別設定表示部８６に表示してもよい。
【００８２】
また、上記実施形態では、フリック操作によりスクロール操作が行われているが、種々の操作によりスクロール操作を行うことが可能である。具体的には、マウス操作、キー操作等によりスクロール操作を行うことが可能である。なお、スクロール方向は、左右方向に限られず、上下方向等、種々の方向を採用することが可能である。
【００８３】
また、上記実施例では、ＣＰＵ１２によって図４乃至図１０に示す処理が実行される例を説明したが、これら処理は、ＣＰＵ１２に限らず、ＡＳＩＣや他の論理集積回路により実行されてもよいし、これら処理が、ＣＰＵ１２やＡＳＩＣ、他の論理集積回路が協働することにより実行されてもよい。
【符号の説明】
【００８４】
１０：ＭＦＰ（画像表示装置）
１２：ＣＰＵ（制御装置）
１６：パネル（表示手段）
１８：ボタン入力部（スクロール手段）
５２：データ記憶領域（記憶手段）
１００：画像表示制御部（画像表示制御手段）
１０２：スクロール時共通設定表示制御部（スクロール時共通設定表示制御手段）
１０４：個別設定表示制御部（個別設定表示制御手段）
１０６：操作時共通設定表示制御部
１０８：共通設定画面表示制御部
１１０：記憶部
【図１】
2014056474.tif 000003
【図２】
2014056474.tif 000004
【図３】
2014056474.tif 000005
【図４】
2014056474.tif 000006
【図５】
2014056474.tif 000007
【図６】
2014056474.tif 000008
【図７】
2014056474.tif 000009
【図８】
2014056474.tif 000010
【図９】
2014056474.tif 000011
【図１０】
2014056474.tif 000012